(57)【要約】      （修正有）【課題】対象物以外の物体へのレーザ光の照射を防止し、かかる物体の損傷等の不具合の発生を防ぐことが可能な遮蔽アタッチメントを提供する。【解決手段】遮蔽アタッチメント１００の構成は、レーザ照射装置から照射されるレーザ光１０４を遮蔽する遮蔽アタッチメント１００であって、レーザ照射装置のレーザヘッド１０２に取り付けられる取付部１１０と、レーザ光１０４の照射の対象物１０６に対してレーザヘッド１０２とは反対側で光軸１０４ａ上に配置される遮光板１２０と、対象物１０６を避けて取付部１１０と遮光板１２０を連結するアーム１３０とを備える。【選択図】図１
0003221486.tif 000002
【実用新案登録請求の範囲】
【請求項１】
レーザ照射装置から照射されるレーザ光を遮蔽する遮蔽アタッチメントであって、
前記レーザ照射装置のレーザヘッドに取り付けられる取付部と、
レーザ光の照射の対象物に対してレーザヘッドとは反対側で光軸上に配置される遮光板と、
前記対象物を避けて取付部と遮光板を連結するアームとを備えることを特徴とする遮蔽アタッチメント。
【請求項２】
前記取付部は、前記光軸を中心とした円弧のレールであり、
前記アームは、前記取付部のレールを移動して、前記光軸を中心に回転可能であることを特徴とする請求項１に記載の遮蔽アタッチメント。
【考案の詳細な説明】
【技術分野】
【０００１】
本考案は、レーザ照射装置から照射されるレーザ光を遮蔽する遮蔽アタッチメントに関する。
【背景技術】
【０００２】
鉄塔等の構造物には、防錆などを目的として塗装がなされることがあり、補修の際にはその塗膜や錆を剥離する。塗膜や錆の剥離の方法としては、従来はケレンやブラストなどが用いられていたが、近年、例えば特許文献１のようなレーザ照射装置を用いる手法が検討されている。特許文献１のレーザ照射装置は、レーザ発振器から出力されるレーザ光をファイバを介して伝送し、レーザ光を集束させてレーザヘッドから構造物の表面に照射する。
【先行技術文献】
【特許文献】
【０００３】
【特許文献１】特開２０１４−２１０２９０号公報
【考案の概要】
【考案が解決しようとする課題】
【０００４】
レーザ光の照射の対象物が壁面のように面積が広い場合には、レーザ光は対象物以外に照射されることはない。しかしながら、対象物が鉄塔の脚材のような部材の場合、対象物が細いため、レーザ光が対象物から逸れる可能性がある。すると、対象物以外の物体にレーザ光が照射され、かかる物体が損傷する等の不具合が生じてしまう。
【０００５】
本考案は、このような課題に鑑み、対象物以外の物体へのレーザ光の照射を防止し、かかる物体の損傷等の不具合の発生を防ぐことが可能な遮蔽アタッチメントを提供することを目的としている。
【課題を解決するための手段】
【０００６】
上記課題を解決するために、本考案にかかる遮蔽アタッチメントの代表的な構成は、レーザ照射装置から照射されるレーザ光を遮蔽する遮蔽アタッチメントであって、レーザ照射装置のレーザヘッドに取り付けられる取付部と、レーザ光の照射の対象物に対してレーザヘッドとは反対側で光軸上に配置される遮光板と、対象物を避けて取付部と遮光板を連結するアームとを備えることを特徴とする。
【０００７】
上記構成によれば、対象物に対してレーザ光が逸れても、逸れたレーザ光が遮光板に照射される。したがって、対象物以外の物体へのレーザ光の照射を防止し、かかる物体の損傷等の不具合の発生を防ぐことができる。
【０００８】
上記取付部は、光軸を中心とした円弧のレールであり、アームは、取付部のレールを移動して、光軸を中心に回転可能であるとよい。かかる構成によれば、レーザ光を照射する対象物の形状に応じてアームの位置を容易に移動させることができる。そして、アームの位置が変わった場合においても遮光板を常にレーザ照射装置の光軸上に配置することが可能となり、上述した効果が確実に得られる。
【考案の効果】
【０００９】
本考案によれば、対象物以外の物体へのレーザ光の照射を防止し、かかる物体の損傷等の不具合の発生を防ぐことが可能な遮蔽アタッチメントを提供することが可能となる。
【図面の簡単な説明】
【００１０】
【図１】本実施形態にかかる遮蔽アタッチメントおよびそれが取り付けられるレーザヘッドを示す図である。
【図２】遮蔽アタッチメントと対象物との位置関係を説明する図である。
【図３】遮蔽アタッチメントの斜視図である。
【図４】アームの回転を説明する図である。
【図５】アームの回転を説明する図である。
【考案を実施するための形態】
【００１１】
以下に添付図面を参照しながら、本考案の好適な実施形態について詳細に説明する。かかる実施形態に示す寸法、材料、その他具体的な数値などは、考案の理解を容易とするための例示に過ぎず、特に断る場合を除き、本考案を限定するものではない。なお、本明細書及び図面において、実質的に同一の機能、構成を有する要素については、同一の符号を付することにより重複説明を省略し、また本考案に直接関係のない要素は図示を省略する。
【００１２】
図１は、本実施形態にかかる遮蔽アタッチメント１００およびそれが取り付けられるレーザヘッド１０２を示す図である。レーザーヘッド１０２は市販品であり、任意のレーザーヘッドを対象にすることができる。図１に示すように、レーザ照射装置（不図示）のレーザヘッド１０２からは、レーザ光の照射の対象物１０６（図ではＬ字鋼）に対してレーザ光１０４が照射される。レーザヘッド１０２は光軸１０４ａを中心としてレーザー光１０４を左右にスイープさせるため、図１では先端が広がる三角形で照射範囲を示している。
【００１３】
本実施形態の遮蔽アタッチメント１００は、レーザ照射装置（不図示）のレーザヘッド１０２に取り付けられ、レーザ照射装置の１０２から照射されるレーザ光１０４を遮蔽する。遮蔽アタッチメント１００は、取付部１１０、遮光板１２０およびアーム１３０を備える。
【００１４】
取付部１１０は、レーザ照射装置のレーザヘッド１０２に取り付けられる部位である。取付部１１０は例えばブリッジ１１０ａによってレーザヘッド１０２にネジ止めすることができる。ただし取付部１１０の取り付け方はこれに限らず、枠やバンドで嵌めたり、ベースプレートを介して取り付けたりしてもよい。
【００１５】
取付部１１０は、レーザヘッド１０２の光軸１０４ａ（レンズ１０２ａの中央。図２参照）を中心とした正円に沿う円弧形状である。そして後に詳述するように、取付部１１０は断面形状が一様なレールとなっている。
【００１６】
遮光板１２０は、対象物である対象物１０６に対してレーザヘッド１０２とは反対側で光軸上に配置されている。遮光板１２０の材質は、レーザ光を遮蔽できるものであればよく、例えばアルミニウム板を使用することができる。
【００１７】
アーム１３０は、対象物１０６を避けて取付部１１０と遮光板１２０を連結する。すなわちアーム１３０は、光軸とほぼ平行に、かつ光軸から離れた位置で取付部１１０と遮光板１２０とを連結する。アーム１３０の取付部１１０側の先端にはスライダー１３０ａが取り付けられていて、レールとなっている取付部１１０の上を移動可能となっている。
【００１８】
図２は、遮蔽アタッチメント１００と対象物１０６との位置関係を説明する図である。図２に示すように、アーム１３０の長さはレーザヘッド１０２の焦点距離Ｈ１よりも長い必要がある。そして、焦点距離Ｈ１に、対象物１０６の部材幅と余裕分の合計幅Ｈ２を加算した幅がアーム１３０の長さＨ３となる。遮光板１２０の幅は、レーザ光１０４がスイープしてもはみださない幅に設定する。また、遮光板１２０が回転しても常にレーザ光１０４がはみ出さないように、遮光板１２０は円形であることが最も効率がよい。
【００１９】
図３は、遮蔽アタッチメント１００の斜視図である。図３（ａ）に示すように、レーザ光１０４が対象物１０６から逸れてしまったとしても、逸れたレーザ光１０４は遮光板１２０によって遮蔽される。したがって、対象物（対象物１０６）以外の物体へのレーザ光１０４の照射を防止し、かかる物体の損傷等の不具合の発生を防ぐことができる。
【００２０】
また図３（ｂ）に示すように、仮にレーザ光１０４が対象物１０６から大きく外れた場合であっても、かかるレーザ光１０４は遮光板１２０によって遮蔽される。したがって、対象物以外の物体へのレーザ光の照射を確実に防止し、かかる物体の損傷等の不具合の発生を防ぐことが可能となる。
【００２１】
図４および図５は、アーム１３０の回転を説明する図である。特に本実施形態の遮蔽アタッチメント１００では、上記したように、取付部１１０は、光軸１０４ａを中心とした円弧のレールである。これにより、アーム１３０は取付部１１０のレールを移動して、図４（ａ）に示す位置から、図４（ｂ）に示すように光軸を中心に回転可能となる。
【００２２】
上記構成によれば、対象物１０６の形状に応じてアーム１３０の位置を容易に移動させることができる。このとき、図４（ａ）および（ｂ）に示すように、アーム１３０の位置が変わった場合においても遮光板１２０は常にレーザ照射装置の光軸１０４ａ上に配置される。したがって、上述した効果を確実に得ることが可能である。
【００２３】
図１は対象物１０６が横に延びる姿勢であったが、図５では対象物１０６が縦に延びる姿勢である。このように対象物１０６が配置されている方向が異なる場合においても、アーム１３０を適宜移動させることにより、レーザヘッド１０２の姿勢を変えずにアーム１３０が対象物１０６を避けることができる。そして遮光板１２０を、対象物１０６に対してレーザヘッド１０２とは反対側で光軸１０４ａ上（図４参照）に配置することができる。したがって、対象物１０６が配置されている方向に拘わらず遮蔽アタッチメント１００を適用することができ、高い汎用性を得ることが可能である。
【００２４】
なお他の構成の例として、アーム１３０は伸縮式にしてもよい。その場合、遮光板１２０の径はアーム１３０を伸ばした場合にもレーザ光１０４を受け止めるに充分な寸法にする必要がある。またスライダー１３０ａが取付部１１０上を不用意に移動してしまわないように、仮固定のためのロックレバーやローレットネジを取り付けてもよい。
【００２５】
以上、添付図面を参照しながら本考案の好適な実施例について説明したが、本考案は係る例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【産業上の利用可能性】
【００２６】
本考案は、レーザ照射装置から照射されるレーザ光を遮蔽する遮蔽アタッチメントとして利用することができる。
【符号の説明】
【００２７】
１００…遮蔽アタッチメント、１０２…レーザヘッド、１０４…レーザ光、１０４ａ…光軸、１０６…対象物、１１０…取付部、１１０ａ…ブリッジ、１２０…遮光板、１３０…アーム、１３０ａ…スライダー
【図１】
0003221486.tif 000003
【図２】
0003221486.tif 000004
【図３】
0003221486.tif 000005
【図４】
0003221486.tif 000006
【図５】
0003221486.tif 000007